(57)【要約】      （修正有）【課題】支柱の施錠または開錠の操作を立位で行うことができる車止め等などに用いる支柱を提供する。【解決手段】支柱１は、管状の支柱本体１０と、支柱本体１０を回動不能に立設するための支柱支持部材２０と、支柱本体１０を支柱支持部材２０に固定する固定部材３０と、を備え、支柱支持部材２０は係止部材２１を備え、固定部材３０は、係止部材２１に係止可能な鉤状に形成された鉤状部材３１と、支柱本体１０の開口部を閉塞する蓋部材３２と、蓋部材３２に設けられ、蓋部材３２を支柱本体１０に取り付けるための環状の取付部材３３と、取付部材３３と鉤状部材３１とを接続する鎖で形成された鎖部材３４と、支柱本体１０外部より取付部材３３に挿通し取付部材３３を支柱本体１０に取り付けるための固定ピンと、を備える。【選択図】図１
0003198992.tif 000002
【実用新案登録請求の範囲】
【請求項１】
管状の支柱本体と、
地面に埋設され、前記支柱本体の一端を挿入し前記支柱本体を回動不能に立設するための支柱支持部材と、
前記支柱本体を前記支柱支持部材に固定する固定部材と、を備え、
前記支柱支持部材は、前記支柱本体の挿入方向に交差して設けられる棒状の係止部材を備え、
前記固定部材は、前記係止部材に係止可能な鉤状に形成された鉤状部材と、支柱本体の開口部を閉塞する蓋部材と、前記蓋部材に設けられ、前記蓋部材を支柱本体に取り付けるための環状の取付部材と、前記取付部材と前記鉤状部材とを接続する鎖で形成された鎖部材と、前記支柱本体外部より前記取付部材に挿通し前記取付部材を前記支柱本体に取り付けるための固定ピンと、を備え、  
前記支柱本体の上方の開口部から前記固定部材の鎖部材を挿入した状態で、前記支柱支持部材に前記支柱本体を立設し、前記鉤状部材を前記係止部材を係止した後に、前記蓋部材を水平方向を回動させて前記鎖部材をねじることにより前記鎖部材を長手方向に対して短くし、前記蓋部材が前記支柱本体の開口部を閉塞した状態で前記取付部材及び前記固定ピンにより前記蓋部材を前記支柱本体に取付可能に構成されたことを特徴とする支柱。
【考案の詳細な説明】
【技術分野】
【０００１】
本考案は、車止め等に用られる支柱に関する。
【背景技術】
【０００２】
従来、車止め等に用いられる支柱は、盗難されたり、不当に撤去されたりすることを防止するために、地面から立設される支柱本体と支柱本体を支持するために地中に埋め込まれた支持部材とを連結して施錠することが行われている。例えば、特許文献１には、地面に埋め込まれる埋設筒体に取り付けられた蓋体と、車止め支柱とを、鍵部材と南京錠とにより接続し、施錠する技術が開示されている。
【先行技術文献】
【特許文献】
【０００３】
【特許文献１】特開２００８−１８４７７９号公報
【考案の概要】
【考案が解決しようとする課題】
【０００４】
このような施錠を行うための部材は地表近辺に設けられるため、施錠または開錠の操作はしゃがんで行わなければならず、衣服が汚れる、身体への負荷が大きい、などの問題があった。
【０００５】
そこで、本考案は、支柱の施錠または開錠の操作を立位で行うことができる車止め等などに用いる支柱を提供することを目的とする。
【課題を解決するための手段】
【０００６】
上記目的を達成するために、請求項１に記載の考案では、支柱が、管状の支柱本体と、地面に埋設され、前記支柱本体の一端を挿入し前記支柱本体を回動不能に立設するための支柱支持部材と、前記支柱本体を前記支柱支持部材に固定する固定部材と、を備え、前記支柱支持部材は、前記支柱本体の挿入方向に交差して設けられる棒状の係止部材を備え、前記固定部材は、前記係止部材に係止可能な鉤状に形成された鉤状部材と、支柱本体の開口部を閉塞する蓋部材と、前記蓋部材に設けられ、前記蓋部材を支柱本体に取り付けるための環状の取付部材と、前記取付部材と前記鉤状部材とを接続する鎖で形成された鎖部材と、前記支柱本体外部より前記取付部材に挿通し前記取付部材を前記支柱本体に取り付けるための固定ピンと、を備え、前記支柱本体の上方の開口部から前記固定部材の鎖部材を挿入した状態で、前記支柱支持部材に前記支柱本体を立設し、前記鉤状部材を前記係止部材を係止した後に、前記蓋部材を水平方向を回動させて前記鎖部材をねじることにより前記鎖部材を長手方向に対して短くし、前記蓋部材が前記支柱本体の開口部を閉塞した状態で前記取付部材及び前記固定ピンにより前記蓋部材を前記支柱本体に取付可能に構成された、という技術的手段を用いる。
【０００７】
請求項１に記載の考案によれば、固定部材を用い、簡単な操作により、支柱本体を立位で支柱支持部材に立設し施錠することができる。
【図面の簡単な説明】
【０００８】
【図１】支柱の構成を示す斜視説明図である。
【図２】支柱の構成部材の構造を説明図である。図２（Ａ）は支柱本体、図２（Ｂ）は支柱支持部材、図２（Ｃ）、（Ｄ）、（Ｅ）は固定部材の構造を示す説明図である。図２（Ａ）、（Ｂ）において、右図は側面図、左図は側面図左方向から見た平面図である。
【図３】支柱本体を立設し、支柱支持部材に固定する工程を示す説明図である。
【０００９】
本考案に係る車止め等に用いられる支柱について図を参照して説明する。なお、図２において、各部材の構造をわかりやすく示すため、適宜拡大、縮小しており、縮尺を揃えていない。図１に示すように、支柱１は、支柱本体１０と、支柱本体１０の一端を挿入して支柱本体１０を立設可能に構成された支柱支持部材２０と、支柱本体１０を支柱支持部材２０に固定する固定部材３０と、を備えている。ここで、図１では、固定ピン３５の図示を省略している。
【００１０】
図１、２に示すように、支柱本体１０は、管状に形成されており、一端に支柱支持部材２０に挿入可能な挿入部１１が形成されている。挿入部１１には、後述する係止部材２１により位置決め及び回転防止を行うためのスリット部１１ａが形成されている。また、他端の開口部１０ａ近傍には、後述する固定部材３０の固定ピン３５を挿通する１組のピン孔１２が形成されている。本実施形態では、支柱本体１０は円管状に形成されているが、角管など各種形状を採用することもできる。
【００１１】
支柱支持部材２０は、地面に埋設され、支柱本体１０の挿入部１１を挿入し支柱本体１０を立設するための部材であり、地面に打ち込んで埋設するために一端が開口した杭状に形成されている。開口部近傍の内部には、棒状に形成された係止部材２１が支柱本体１０の挿入方向に交差して張り渡されている。
【００１２】
固定部材３０は、支柱本体１０を支柱支持部材２０に固定するための部材であり、鉤状部材３１と、蓋部材３２と、取付部材３３と、鎖部材３４と、固定ピン３５と、を備えている。
【００１３】
鉤状部材３１は、係止部材２１に係止可能な鉤状に形成されている。
【００１４】
蓋部材３２は、支柱本体１０の開口部１０ａを閉塞するための部材で、開口部１０ａを覆う蓋部３２ａと、開口部１０ａに挿入可能で蓋部３２ａの位置決めを行う挿入部３２ｂとを備えている。
【００１５】
蓋部材３２の挿入部３２ｂ側には、蓋部材３２を支柱本体１０に取り付けるための取付部材３３が接続されている。取付部材３３は、固定ピン３５を挿通可能な環状に形成されている。
【００１６】
鎖部材３４は、鉤状部材３１と取付部材３３とを接続する鎖で形成された部材である。
【００１７】
固定ピン３５は、ボルト状に形成され、先端に南京錠などの施錠具を取り付け可能な孔部３５ａが形成されている。ここで、軸部はピン孔１２に挿通し、支柱本体１０は貫通可能で孔部３５ａが露出するように形成されている。固定ピン３５は、孔部３５ａが形成されている側の一端からのみ支柱本体１０のピン孔１２から挿入可能に形成される。
【００１８】
次に、支柱本体の固定方法について図３を参照して説明する。なお、図３は、各部材の関係を把握しやすいように、断面、透視を組み合わせ、模式的に示した説明図である。図３（Ａ）に示すように、支柱支持部材２０は開口部が地表Ｇとほぼ同じレベルに位置するように埋設されている。
【００１９】
まず、図３（Ｂ）に示すように、支柱支持部材２０に支柱本体１０の挿入部１１を挿入し、スリット部１１ａを係止部材２１に合わせて支柱本体１０を立設する。このとき、支柱本体１０は係止部材２１により支柱支持部材２０に対して位置決めされ、水平方向に回動不能に設けられる。
【００２０】
次に、図３（Ｃ）に示すように、支柱本体１０の上方の開口部１０ａから固定部材３０の鎖部材３４を挿入し、鉤状部材３１を支柱支持部材２０の係止部材２１を係止する。鎖部材３４の長さは、本工程が可能な長さに設定されている。
【００２１】
続いて、図３（Ｄ）に示すように、蓋部材３２を水平方向を回動させて鎖部材３４をねじる。これにより、支柱本体１０の内部で鎖部材３４が絡まり合って、長手方向に対して短くなり、蓋部材３２が支柱本体１０の開口部１０ａを閉塞する。
【００２２】
続いて、図３（Ｅ）に示すように、取付部材３３を支柱本体１０のピン孔１２に対向させて、固定ピン３５を一方のピン孔１２から取付部材３３に挿入し先端を、対向する他方のピン孔１２から突出させる。固定ピン３５はボルト状の頭部でピン孔１２に係止される。そして、固定ピン３５の孔部３５ａに南京錠などの施錠具を取り付けて施錠する。これにより、支柱本体１０を、盗難、不正な引抜きなどの操作不能に固定することができる。
【００２３】
支柱本体１０を取り外すときには、上述の工程を逆に行えばよい。そして、支柱本体１０の内部に鉤状部材３１、鎖部材３４を収容し、蓋部材３２により支柱支持部材２０の開口部に蓋をすることができる。これにより、支柱支持部材２０への雨水やごみ、砂利などの侵入を防ぐことができる。
【００２４】
（実施形態の効果）
本考案の支柱１によれば、固定部材３０を用い、簡単な操作により、支柱本体１０を立位で支柱支持部材２０に立設し施錠することができる。
【００２５】
（変更例）
図３（Ｂ）に記載の工程と、図３（Ｃ）に記載の工程とは入れ替えて行うことができる。つまり、支柱本体１０の上方の開口部１０ａから固定部材３０の鎖部材３４を挿入してから、支柱支持部材２０に支柱本体１０の挿入部を挿入し支柱本体１０を立設し、その後、鉤状部材３１を支柱支持部材２０の係止部材２１を係止してもよい。また、鎖部材３４の鎖に固定ピン３５を挿通可能であれば、取付部材３３を鎖部材３４で代用することができる。支柱支持部材２０は、杭状ではなく単管形状など採用することができる。
【符号の説明】
【００２６】
１…支柱
１０…支柱本体
１１…挿入部
１１ａ…スリット部
１２…ピン孔
２０…支柱支持部材
２１…係止部材
３０…固定部材
３１…鉤状部材
３２…蓋部材
３３…取付部材
３４…鎖部材
３５…固定ピン
【図１】
0003198992.tif 000003
【図２】
0003198992.tif 000004
【図３】
0003198992.tif 000005